(57)【特許請求の範囲】
【請求項１】
中空軸の一部に同一周面上にわたって凹部が形成されたボビンと、そのボビンの凹部内に巻回された１次コイルと、その凹部内に１次コイルが巻回された上からそのボビンに巻装された２次コイルと、そのボビンの中空軸の内部に挿入されたコアとからなり、そのボビンにおける２次コイルの高電圧側の部分に対応する箇所に同一周面上にわたって第２の凹部を別途形成して、その第２の凹部内に絶縁樹脂を充填することによって構成されたトランス。
【発明の詳細な説明】
【０００１】
【産業上の利用分野】
本発明は、ＨＩＤ（Ｈｉｇｈ  Ｉｎｔｅｎｓｉｔｙ  Ｄｉｓｃｈａｒｇｅ）ランプ点灯装置などに用いられるトランスに関する。
【０００２】
【従来の技術】
最近、点灯回路およびトランスが実装されたプリント基板をＨＩＤランプが着脱自在に装着できるソケットが設けられたケース内に収納して、そのケースの内部に硬化性の絶縁樹脂を充填して一体にユニット化したＨＩＤランプ点灯装置が開発されている（特開平１１−８７１５６号公報参照）。
【０００３】
従来、例えば、このようなＨＩＤランプ点灯装置にあって、そのケース内に組み込まれるトランスの簡素化および小形化を図るために、図１１または図１２に示すように、中空軸の内部にコア２４が挿入された１つのボビン２５の軸部に、１次コイル２６と２次コイル２７とを並列的に巻装させた構造のトランスを用いるようにしている。
【０００４】
【発明が解決しようとする課題】
解決しようとする問題点は、１つのボビンの軸部に１次コイルと２次コイルとを並列的に巻装させるようにしたトランス構造にあっては、１次コイルと２次コイルとの結合性が悪くなって、トランスとしての性能が低下してしまうことである。
【０００５】
【課題を解決するための手段】
本発明は、トランスの１次コイルと２次コイルとの結合性が悪くなって性能が低下するようなことなく構造の簡素化と小形化を図るべく、中空軸の一部に同一周面上にわたって凹部が形成されたボビンと、そのボビンの凹部内に巻回された１次コイルと、その凹部内に１次コイルが巻回された上からそのボビンに巻装された２次コイルと、そのボビンの中空軸の内部に挿入されたコアとからなり、そのボビンにおける２次コイルの高電圧側の部分に対応する箇所に同一周面上にわたって第２の凹部を別途形成して、その第２の凹部内に絶縁樹脂を充填することによってトランスを構成するようにしている。
【０００６】
【実施例】
図１および図２は、本発明によるトランスが組み込まれるＨＩＤランプ点灯装置の構成例を示している。
【０００７】
ここでは、そのＨＩＤランプ点灯装置が、ＨＩＤランプ挿入孔３が設けられた一面が開口するケース１およびそのケース１に嵌合してその開口部を閉塞するケース２からなるハウジングの内部に、ＨＩＤランプ４が直接差し込まれて電気的に接続されるバルブキャップ５と、ＨＩＤランプ点灯回路の各回路素子およびトランス７が取り付けられてバスバー配線された基板６とが組み込まれ、そのハウジング内に硬化性の絶縁樹脂を充填することによって、ＨＩＤランプ４、その点灯回路およびトランス７からなる部分が一体にユニット化されている。
【０００８】
その際、ケース１とケース２とを嵌合することによってバルブキャップ５がハウジング内の所定位置に組み込まれるようになっている。
【０００９】
バルブキャップ５には、図３および図４に示すように、その後端に溝５１が円状に形成されており、その溝５１内にケース２側に円状に突出形成されている突起部２０１が差し込まれる。また、バルブキャップ５の先端にはＨＩＤランプ４の先端部分を受け入れる室５２が形成されており、その室５２の壁５３部分がケース１側に突出して設けられている突起部１０１に形成された溝１０２内に差し込まれるようになっている。
【００１０】
このようなケース１およびケース２とバルブキャップ５との組付け構造をとることによって、低圧部と高圧部との間でラビリンス構造が形成され、沿面距離が長くとれて絶縁効果が向上する。
【００１１】
また、そのバルブキャップ５には、その後端部分に室５４が形成されており、その室５４とその先端部分に形成されているＨＩＤランプ４の先端部分を受け入れる室５２とを連通するＨＩＤランプ４の先端の高圧リードが入れられる孔５５が形成されている。
【００１２】
そして、そのバルブキャップ５には、その孔５５の部分に高圧端子８の引出し部５６が設けられており、孔５５内に入れられるＨＩＤランプ４の先端の高圧リードが高圧端子８の穴８１に差し込まれて電気的接続がとられるようになっている。その高圧端子８は、トランス７の二次出力側に接続されている。
【００１３】
また、ケース１とケース２とを嵌合することによってコネクタ９がハウジング内の所定位置に組み付けられるようになっている。そのコネクタ９には、高圧端子、低圧端子およびアース端子が引き出されている。
【００１４】
ケース１には、ＨＩＤランプ４のアース側のリードの接続部１０が引き出される絶縁性のパイプ１１が取り付けられている。
【００１５】
図５は、点灯スイッチが投入されたときに、制御回路の制御下で、高圧端子Ｈに始動用の１０００Ｖ程度の高電圧を印加してトランス７の二次側に高電圧パルスを発生して、その二次側に接続されたＨＩＤランプ４の点灯始動を行い、制御回路によりＨＩＤランプ４にかかる電圧を８５Ｖ程度に調整して、低圧端子Ｌからトランス７の二次側を通り直接印加してＨＩＤランプ４の安定点灯を行わせるようにしたＨＩＤランプ点灯回路の一構成例を示している。
【００１６】
本発明は、このようなＨＩＤランプ点灯装置に組み込まれるトランス７を、図２および図６に示すように、２次コイル７２が巻装される中空の軸部７３１およびその２次コイル７２の外周囲において１次コイル７１が巻装される軸部７３２を有し、その各軸部７３１，７３２がその一端において結合されるように立体的に形成されたボビン７３と、そのボビン７３の軸部７３１の中空内部に挿入されたフェライトコア７４とによって構成するようにしている。なお、この場合には、２次コイル７２として空芯コイルが用いられる。
【００１７】
しかして、このように構成されたトランス７にあっては、１つのボビン７３に１次コイル７１と２次コイル７２とを巻装するに際して、１次コイル７１と２次コイル７２とが同軸状に配されるので、１次コイル７１と２次コイル７２との結合性が良くなって充分なトランス性能を発揮しながらも、構造の簡素化と小形化を有効に図ることができるようになる。
【００１８】
また、図７は本発明によるトランスの他の構成例を示している。
【００１９】
ここでは、トランスが、中空の軸部１２１の一部に凹部１３が形成されたボビン１２と、その凹部１３に巻装された一次コイル１４と、その凹部１３に巻装された１次コイル１４の上からボビン１２の軸部１２１に巻装された２次コイル１５と、そのボビン１２の軸部１２１の中空内部に挿入されたフェライトコア１６とによって構成されている。
【００２０】
そして、この場合は、２次コイル１５の高電圧側の部分に対応するボビン１２の軸部１２１に凹部１７を形成して、その凹部１７内にエポキシなどの絶縁樹脂１８を充填して高電圧部分の耐絶縁性を上げるようにしている。
【００２１】
この場合にあっても、１つのボビン１２に１次コイル１４と２次コイル１５とを巻装するようにしても、１次コイル１４と２次コイル１５との結合性が良くなって充分なトランス性能を発揮しながらも、構造の簡素化と小形化を有効に図ることができるようになる。
【００２２】
さらに、図８ないし図１０は本発明によるトランスの他の構成例を示している。
【００２３】
ここでは、トランス１９をケース２０内に入れて、そのケース２０の内部に硬化性の絶縁樹脂を充填したモールドタイプの機器にあって、表面に周囲に充填される絶縁樹脂と親和性のある粉体材料が塗装（塗装部２２）された棒状のコア２１をケース２０内に設けられたコア設置部２０１に収めて、ケース２０内に設けられた２次コイル位置規制部２０２によって規制されるコア２１の周囲に２次コイル１５を巻装し、その２次コイル１５の外周囲においてケース２０内に設けられた１次コイル位置規制部２０３に１次コイル１４を巻装することによって、ボビンレスによるトランス１９を構成するようにしている。なお、１次コイル１４と２次コイル１５との間にはエポキシ樹脂による絶縁層２３が設けられる。
【００２４】
この場合には、１次コイル１４と２次コイル１５との結合性が良くなって充分なトランス性能を発揮しながらも、特にボビンレスとすることによって、構造の簡素化と小形化をより有効に図ることができるようになる。
【００２５】
【発明の効果】
以上、本発明は、中空軸の一部に同一周面上にわたって凹部が形成されたボビンと、そのボビンの凹部内に巻回された１次コイルと、その凹部内に１次コイルが巻回された上からそのボビンに巻装された２次コイルと、そのボビンの中空軸の内部に挿入されたコアとによってトランスを構成するようにしたもので、１次コイルと２次コイルとの磁気的な結合性が良くなって充分なトランス性能を発揮しながらも、構造の簡素化と小形化を有効に図ることができるという利点を有している。
【００２６】
そして、特に、本発明によれば、２次コイルの高電圧部分におけるボビンの耐絶縁性を上げるために、ボビンの外部に絶縁補強材を別途に設けることなく、ボビンにおける２次コイルの高電圧側の部分に対応する箇所に第２の凹部を別途形成して、その第２の凹部内に絶縁樹脂を充填するようにしているので、トランス構造の簡素化を何ら阻害することなく、耐絶縁性を有効に図ることができるという利点を有している。
【図面の簡単な説明】
【図１】  本発明によるトランスが組み込まれるＨＩＤランプ点灯装置の構成例を示す正断面図である。
【図２】  同構成例におけるＨＩＤランプ点灯装置のトランス部分の側断面図である。
【図３】  同構成例のＨＩＤランプ点灯装置に用いられるバルブキャップの正断面図である。
【図４】  そのバルブキャップの右側面図である。
【図５】  ＨＩＤランプ点灯回路の一構成例を示す電気回路図である。
【図６】  本発明によるトランスの一実施例を示す正断面図である。
【図７】  本発明によるトランスの他の実施例を示す正断面図である。
【図８】  本発明によるトランスのさらに他の実施例を示す正断面図である。
【図９】  同実施例におけるトランスの平面図である。
【図１０】  同実施例におけるトランスの右側断面図である。
【図１１】  従来のトランスの構成例を示す正断面図である。
【図１２】  従来のトランスの他の構成例を示す正断面図である。
【符号の説明】
７  トランス
７１  １次コイル
７２  ２次コイル
７３  ボビン
７４  フェライトコア
１２  ボビン
１３  凹部
１４  １次コイル
１５  ２次コイル
１６  フェライトコア
１７  凹部
１８  絶縁樹脂
１９  トランス
２０  ケース
２０１  コア設置部
２０２  ２次コイル位置規制部
２０３  １次コイル位置規制部
２１  コア
【図１】
0003716696.tif 000002
【図２】
0003716696.tif 000003
【図３】
0003716696.tif 000004
【図４】
0003716696.tif 000005
【図５】
0003716696.tif 000006
【図６】
0003716696.tif 000007
【図７】
0003716696.tif 000008
【図８】
0003716696.tif 000009
【図９】
0003716696.tif 000010
【図１０】
0003716696.tif 000011
【図１１】
0003716696.tif 000012
【図１２】
0003716696.tif 000013